(57)【要約】【課題】放送受信装置との通信可能な通信端末に対し、好適な内容の情報を、好適なタイミングで提供すること。【解決手段】放送受信装置１０は、番組放送を受信するチューナ１１と、番組放送に含まれているアドレスを通信端末３０へ配信するアドレス送信部１４と、アドレスを保存するアドレス保存部１３と、を備え、アドレス送信部１４は、アドレスの送信要求を通信端末３０から受信した時点で、アドレス保存部１３に保存されているアドレスを、通信端末３０に再送信する。【選択図】図１
2014045383.tif 000002
【特許請求の範囲】
【請求項１】
通信ネットワークを介して通信端末と通信可能な放送受信装置であって、
番組放送を受信する番組放送受信手段と、
前記番組放送受信手段によって受信された前記番組放送に含まれている、当該番組放送に関連するコンテンツのアドレスを、前記通信端末へ配信するアドレス配信手段と、
前記番組放送受信手段によって受信された前記アドレスを保存するアドレス保存手段と、
前記アドレスの送信要求を前記通信端末から受信した時点で、前記アドレス保存手段に保存されている前記アドレスを、前記通信端末に再送信するアドレス再送信手段と
を備えることを特徴とする放送受信装置。
【請求項２】
前記アドレス再送信手段は、
前記アドレスの送信要求を前記通信端末から受信した時点で、前記アドレス保存手段に保存されている前記アドレスに対応する放送番組が、当該放送受信装置によって視聴されていない場合、当該アドレスを前記通信端末に再送信しない
ことを特徴とする請求項１に記載の放送受信装置。
【請求項３】
前記アドレス再送信手段は、
前記アドレスの送信要求を前記通信端末から受信した時点で、前記アドレス保存手段に保存されている前記アドレスの保存期間が経過している場合、当該アドレスを前記通信端末に再送信しない
ことを特徴とする請求項１に記載の放送受信装置。
【請求項４】
前記アドレス保存手段は、
前記アドレス保存手段に保存されている前記アドレスが、再送信されない条件を満たした時点で、当該アドレスを破棄する
ことを特徴とする請求項２または３に記載の放送受信装置。
【請求項５】
前記アドレス再送信手段は、
前記アドレスとともに、当該アドレスにアクセスするために起動するアプリケーションの識別情報を、前記通信端末へ送信する
ことを特徴とする請求項１から４のいずれか一項に記載の放送受信装置。
【請求項６】
前記送信要求は、前記通信端末との通信が可能となった時点で、当該通信端末から自動的に送信されたものであり、
前記アドレス再送信手段は、
当該自動的に送信された送信要求を受信した時点で、前記アドレス保存手段に保存されている前記アドレスを、前記通信端末に再送信する
ことを特徴とする請求項１から５のいずれか一項に記載の放送受信装置。
【請求項７】
請求項１から６のいずれか一項に記載の放送受信装置と、
通信ネットワークを介して前記放送受信装置と通信可能な通信端末と、
を備えた情報提供システムであって、
前記通信端末は、
アドレスの送信要求を前記放送受信装置へ送信するアドレス送信要求手段と、
前記放送受信装置から送信されてきたアドレスを受信する受信手段と、
前記受信手段によって受信された前記アドレスにアクセスするアクセス手段と
を有することを特徴とする情報提供システム。
【請求項８】
前記通信端末において、
前記受信手段が、予め当該通信端末に対応付けられた前記放送受信装置以外の、他の前記放送受信装置から、前記アドレスを受信した場合、
前記アクセス手段は、当該アドレスにアクセスしない
ことを特徴とする請求項７に記載の情報提供システム。
【請求項９】
通信ネットワークを介して通信端末と通信可能な放送受信装置による情報提供方法であって、
番組放送を受信する番組放送受信工程と、
前記番組放送受信工程において受信された前記番組放送に含まれている、当該番組放送に関連するコンテンツのアドレスを、前記通信端末へ配信するアドレス配信工程と、
前記番組放送受信工程において受信された前記アドレスを、アドレス保存手段に保存するアドレス保存工程と、
前記アドレスの送信要求を前記通信端末から受信した時点で、前記アドレス保存手段に保存されている前記アドレスを、前記通信端末に再送信するアドレス再送信工程と
を含むことを特徴とする情報提供方法。
【請求項１０】
コンピュータを請求項１から６のいずれか一項に記載の放送受信装置として機能させるためのプログラムであって、前記コンピュータを前記放送受信装置が備える前記各手段として機能させるプログラム。
【発明の詳細な説明】
【技術分野】
【０００１】
本発明は、放送受信装置、情報提供システム、情報提供方法およびプログラムに関する。
【背景技術】
【０００２】
近年、テレビジョン受像機に代表される放送受信装置に関し、受信した放送波に含まれている情報を通信端末に送信することで、放送番組に関連する情報を通信端末からも得られるようにする技術が考案されている。例えば、下記特許文献１には、ディジタル放送受信装置が受信したＵＲＩ情報をパーソナルコンピュータ等の情報処理装置に送信するＵＲＩ転送システムが記載されている。このＵＲＩ転送システムによれば、ユーザに手間をかけさせることなく、番組に関連するコンテンツを、ユーザに閲覧させることができるとされている。
【先行技術文献】
【特許文献】
【０００３】
【特許文献１】特開２００５−２７１４３号公報（２００５年１月２７日公開）
【発明の概要】
【発明が解決しようとする課題】
【０００４】
しかしながら、上記特許文献１に記載されている技術では、通信端末のユーザに対し、好適な内容の情報を、好適なタイミングで提供することができない。例えば、上記特許文献１に記載されている技術では、ＵＲＩ情報を自動的に送信するように設定されている場合において、ＵＲＩ情報が既に送信された後に情報処理装置がネットワークに接続した場合、当該情報処理装置はそのＵＲＩ情報を得ることができない。
【０００５】
また、上記特許文献１に記載されている技術では、ユーザによる任意のタイミングでＵＲＩ情報の送信をディジタル放送受信装置に行わせることができるが、この場合、ユーザが所定の操作を行う必要がある。
【０００６】
本発明は、上記の課題に鑑みてなされたものであり、放送受信装置との通信可能な通信端末に対し、好適な内容の情報を、好適なタイミングで提供することにある。
【課題を解決するための手段】
【０００７】
上記した課題を解決するため、本発明に係る放送受信装置は、通信ネットワークを介して通信端末と通信可能な放送受信装置であって、番組放送を受信する番組放送受信手段と、前記番組放送受信手段によって受信された前記番組放送に含まれている、当該番組放送に関連するコンテンツのアドレスを、前記通信端末へ配信するアドレス配信手段と、前記番組放送受信手段によって受信された前記アドレスを保存するアドレス保存手段と、前記アドレスの送信要求を前記通信端末から受信した時点で、前記アドレス保存手段に保存されている前記アドレスを、前記通信端末に再送信するアドレス再送信手段とを備えることを特徴とする。
【０００８】
この放送受信装置によれば、放送受信装置から送信されたアドレスを通信端末が受信できなかった場合でも、アドレスの送信要求を通信端末から受信した時点で、通信端末へ上記アドレスを自動的に再送することができる。これにより、通信端末は、上記送信要求を放送受信装置に送信することで、一度受信の機会を逃したアドレスを、受信することができる。
【０００９】
上記放送受信装置において、前記アドレス再送信手段は、前記アドレスの送信要求を前記通信端末から受信した時点で、前記アドレス保存手段に保存されている前記アドレスに対応する放送番組が、当該放送受信装置によって視聴されていない場合、当該アドレスを前記通信端末に再送信しないことが好ましい。
【００１０】
すでに視聴されていない番組に関連するコンテンツは、そのユーザにとって有益な情報ではない場合がある。上記構成によれば、このようなコンテンツのアドレスを通信端末に再送信しないため、通信端末のユーザは、より厳選された有益な情報を得ることができる。
【００１１】
上記放送受信装置において、前記アドレス再送信手段は、前記アドレスの送信要求を前記通信端末から受信した時点で、前記アドレス保存手段に保存されている前記アドレスの保存期間が経過している場合、当該アドレスを前記通信端末に再送信しないことが好ましい。
【００１２】
すでに保存期間が経過したアドレスのコンテンツは、そのユーザにとって有益な情報ではない場合がある。上記構成によれば、このようなコンテンツのアドレスを通信端末に再送信しないため、通信端末のユーザは、より厳選された有益な情報を得ることができる。
【００１３】
上記放送受信装置において、前記アドレス保存手段は、前記アドレス保存手段に保存されている前記アドレスが、再送信されない条件を満たした時点で、当該アドレスを破棄することが好ましい。
【００１４】
この放送受信装置によれば、不要となったアドレスが確実に再送信されないようにすることができる。また、アドレス保存手段に保存されているアドレスが再送信すべきアドレスとなるため、再送信すべきアドレスが明確になり、再送信すべきアドレスの検索処理を簡略化することができる。
【００１５】
上記放送受信装置において、前記アドレス再送信手段は、前記アドレスとともに、当該アドレスにアクセスするために起動するアプリケーションの識別情報を、前記通信端末へ送信することが好ましい。
【００１６】
この放送受信装置によれば、より好ましいアプリケーションによるアドレスへのアクセスを通信端末に行わせることができる。
【００１７】
上記放送受信装置において、前記送信要求は、前記通信端末との通信が可能となった時点で、当該通信端末から自動的に送信されたものであり、前記アドレス再送信手段は、当該自動的に送信された送信要求を受信した時点で、前記アドレス保存手段に保存されている前記アドレスを、前記通信端末に再送信することが好ましい。
【００１８】
この放送受信装置によれば、自動的に送信されたアドレスの送信要求を受信し、当該送信要求を送信した通信端末が受信の機会を逃したアドレスを直ちに受信することができる。
【００１９】
本発明に係る情報提供システムは、上記の放送受信装置と、通信ネットワークを介して前記放送受信装置と通信可能な通信端末と、を備えた情報提供システムであって、前記通信端末は、アドレスの送信要求を前記放送受信装置へ送信するアドレス送信要求手段と、前記放送受信装置から送信されてきたアドレスを受信する受信手段と、前記受信手段によって受信された前記アドレスにアクセスするアクセス手段とを有することを特徴としている。
【００２０】
上記情報提供システムによれば、上記放送受信装置と同様の効果を奏することができる。
【００２１】
上記情報提供システムは、前記通信端末において、前記受信手段が、予め当該通信端末に対応付けられた前記放送受信装置以外の、他の前記放送受信装置から、前記アドレスを受信した場合、前記アクセス手段は、当該アドレスにアクセスしないことが好ましい。
【００２２】
上記情報提供システムによれば、ユーザが意図していない（通信端末に対応付けられていない）放送受信装置からアドレスが配信された場合、ユーザの保有する通信端末が当該アドレスに誘導されてアクセスしてしまうといった事態を回避することができる。
【００２３】
本発明に係る情報提供方法は、通信ネットワークを介して通信端末と通信可能な放送受信装置による情報提供方法であって、番組放送を受信する番組放送受信工程と、前記番組放送受信工程において受信された前記番組放送に含まれている、当該番組放送に関連するコンテンツのアドレスを、前記通信端末へ配信するアドレス配信工程と、前記番組放送受信工程において受信された前記アドレスを、アドレス保存手段に保存するアドレス保存工程と、前記アドレスの送信要求を前記通信端末から受信した時点で、前記アドレス保存手段に保存されている前記アドレスを、前記通信端末に再送信するアドレス再送信工程とを含むことを特徴としている。
【００２４】
また、本発明に係るプログラムは、コンピュータを上記放送受信装置として機能させるためのプログラムであって、前記コンピュータを前記放送受信装置が備える前記各手段として機能させる。
【００２５】
上記情報提供方法、およびプログラムによれば、上記放送受信装置と同様の効果を奏することができる。
【発明の効果】
【００２６】
本発明によれば、放送受信装置との通信可能な通信端末に対し、好適な内容の情報を、好適なタイミングで提供することができる。
【図面の簡単な説明】
【００２７】
【図１】本発明の一実施形態に係る情報提供システムのシステム構成を示す。
【図２】本発明の一実施形態に係る情報提供システムによる初回の通信接続時における処理の手順を示すシーケンス図である。
【図３】本発明の一実施形態に係る情報提供システムによる二回目以降の通信接続時における処理の手順を示すシーケンス図である。
【図４】本発明の一実施形態に係る情報提供システムによる送信処理の具体例を示す。
【発明を実施するための形態】
【００２８】
以下、本発明の実施の形態について、図１〜４を参照して詳細に説明する。
【００２９】
〔情報提供システムの構成〕
まず、図１を参照して、本発明の一実施形態に係る情報提供システム１００のシステム構成について説明する。図１は、本発明の一実施形態に係る情報提供システム１００のシステム構成を示す。図１に示すように、情報提供システム１００は、放送受信装置１０および通信端末３０を備えて構成されている。放送受信装置１０は、番組放送を受信し、当該番組放送を再生する装置である。通信端末３０は、ユーザによる携帯可能な情報処理端末である。放送受信装置１０としては、例えば、テレビジョン受像機、各種レコーダ等が挙げられる。通信端末３０としては、例えば、パーソナルコンピュータ、スマートフォン、携帯電話機、およびタブレット型端末等が挙げられる。
【００３０】
情報提供システム１００において、放送受信装置１０および通信端末３０は、いずれも通信ネットワークに接続可能であり、無線ＬＡＮ等の当該通信ネットワークを介して、互いに通信を行うことが可能となっている。これにより、放送受信装置１０は、通信端末３０へ各種情報を送信することが可能となっている。
【００３１】
特に、本実施形態の放送受信装置１０は、通信ネットワークに接続された不特定多数の通信端末３０に対し、番組放送に関連するコンテンツへアクセスさせるためのアドレスを配信することができる。上記コンテンツとは、例えば、インターネットのホームページ等である。上記アドレスは、ＵＲＬ情報、ＵＲＩ情報等として、各通信端末３０へ送信される。これにより、アドレスを受け取ることができた通信端末３０は、そのアドレスへ、所定のアプリケーションによってアクセスすることができる。
【００３２】
以降の説明では、上記任意のアクセス先は、インターネットのホームページであることとし、上記アドレスは、上記ホームページのアドレスであり、ＵＲＬ起動通知として、各通信端末３０へ送信されることとする。また、上記アプリケーションは、Ｗｅｂブラウザであることとする。但し、これらは、本発明の単なる一実施例にしか過ぎない。例えば、上記アプリケーションは、地図アプリケーションやレシピアプリケーション等であってもよい。
【００３３】
（放送受信装置１０の各構成）
引き続き図１を参照して、情報提供システム１００が備える放送受信装置１０の各構成について説明する。図１に示すように、放送受信装置１０は、チューナ（番組放送受信手段）１１、抽出部１２、アドレス保存部（アドレス保存手段）１３、アドレス送信部（アドレス配信手段、アドレス再送信手段）１４、情報送信部１５、情報保存部１６、映像処理部１７、表示部１８、および、通信部１９を備えている。
【００３４】
［チューナ１１］
チューナ１１は、番組放送を放送受信装置１０の外部から受信する。既に説明したとおり、チューナ１１によって受信される番組放送には、その番組放送に関連するコンテンツへアクセスするためのアドレスが含まれ得る。
【００３５】
［映像処理部１７、表示部１８］
映像処理部１７は、チューナ１１によって受信された番組放送に対し、各種映像処理を施した後、当該番組放送を表示部１８へ出力する。表示部１８は、映像処理部１７から出力された番組放送を表示する。
【００３６】
［情報送信部１５、情報保存部１６］
情報保存部１６は、放送受信装置１０に関する情報（ＩＤ・機種名など）を保存する。情報送信部１５は、上記放送受信装置１０に関する情報（ＩＤ・機種名など）を情報保存部１６から読み出し、当該情報を通信部１９を介して通信端末３０に送信する。これらの情報は、例えば、通信端末３０において、放送受信装置１０をリンクさせる際に、放送受信装置１０の識別情報として利用される。
【００３７】
［通信部１９］
通信部１９は、放送受信装置１０において、通信端末３０とデータの送受信を制御するものである。例えば、通信部１９は、通信端末３０との通信に用いる通信方式に従い、通信ネットワークおよび通信端末３０との通信接続を確立したり、通信端末３０に対するデータ送信を制御したり、通信端末３０からのデータ受信を制御したりする。
【００３８】
［抽出部１２］
抽出部１２は、チューナ１１によって受信された番組放送から、アドレスを抽出する。
【００３９】
［アドレス保存部１３］
アドレス保存部１３は、抽出部１２によって番組放送から抽出された、アドレスを保存する。アドレス保存部１３としては、公知の記録媒体を採用することができ、例えば、ＲＡＭ、ＲＯＭ、ＥＥＰＲＯＭ（登録商標）、フラッシュメモリ等が挙げられる。本実施形態では、アドレス保存部１３は、１つのアドレスを保存する構成となっている。そのため、例えば、アドレス保存部１３が１つのアドレスを保存しているときに、チューナ１１が別のアドレスを含む番組放送を受信した場合、アドレス保存部１３は当該別のアドレスを保存し、予め保存されていたアドレスを破棄する。
【００４０】
なお、アドレス保存部１３は、放送受信装置１０内に設けられている必要はなく、放送受信装置１０の外部に設けられていてもよい。
【００４１】
［アドレス送信部１４］
アドレス送信部１４は、抽出部１２によって番組放送から抽出されたアドレスを、通信部１９を介して通信ネットワークへ送出することにより、当該アドレスを通信端末３０へ配信する。例えば、放送受信装置１０がアドレスを送信するためのＵＲＬ起動通知スクリプト（例えば、ＥＣＭＡスクリプト）を受信した場合、アドレス送信部１４は、当該ＵＲＬ起動通知スクリプトを実行することにより、このアドレスを直ちに通信ネットワークへ送出する。これに限らず、アドレス送信部１４は、上記アドレスを、所定時間経過後、または、当該アドレスに対して予め指定されている時刻に、通信ネットワークへ送出してもよい。
【００４２】
アドレス送信部１４は、アドレス保存部１３に保存されているアドレスを、通信端末３０に再送信することもできる。例えば、放送受信装置１０と通信端末３０との通信が可能でない状態では、通信端末３０は、放送受信装置１０から送出されたアドレスを受信することができない。ここで、本書において、上記「通信が可能でない状態」とは、放送受信装置１０と通信端末３０との通信接続が確立していない状態、通信端末３０において上記アドレスを受信するためのアプリケーションが起動されていない状態を含む。この場合、アドレス送信部１４は、上記アドレスの再送要求を通信端末３０から受信した時点で、上記アドレスを、アドレス保存部１３から読み出し、通信端末３０に自動的に再送信する。これにより、通信端末３０は、上記アドレスにアクセスすることができる。
【００４３】
（アドレス送信部１４のさらなる機能）
アドレス送信部１４は、上記再送要求を通信端末３０から受信した時点で、アドレス保存部１３に保存されているアドレスに対応する放送番組が、放送受信装置１０によって視聴されていない場合、当該アドレスを通信端末３０に再送信しない。これにより、ユーザが視聴している番組とは別の番組のアドレスが通信端末３０に再送信されてしまうことを防止できる。
【００４４】
本明細書において、「アドレス保存部１３に保存されているアドレスに対応する放送番組が、放送受信装置１０によって視聴されていない場合」とは、例えば、（１）チャンネルまたは入力が切り替えられたことにより当該アドレスに対応する放送番組とは別の放送番組またはコンテンツが、放送受信装置１０によって視聴されている場合、または、（２）当該アドレスに対応する放送番組が終了したことにより、別の放送番組が放送受信装置１０によって視聴されている場合などが含まれる。
【００４５】
アドレス保存部１３に保存されているアドレスに対応する放送番組が、放送受信装置１０によって視聴されていない場合に、当該アドレスを通信端末３０に再送信しないためには、再送信されない条件を満たした時点（例えば、チャンネルを切り替えた時点、または、当該アドレスに対応する放送番組が終了した時点）で、アドレス保存部１３が、保存している当該アドレスを破棄することが好ましい。
【００４６】
（通信端末３０の各構成）
次に、図１を参照して、情報提供システム１００が備える通信端末３０の各構成について説明する。通信端末３０は、アクセス部（アクセス手段）３１、設定部３２、アドレス送信要求部（アドレス送信要求手段）３３、情報保存部３４、アドレス記録部３５、Ｗｅｂブラウザ３６、表示部３７、および、通信部（受信手段）３８を備えている。
【００４７】
［通信部３８］
通信部３８は、通信端末３０において、放送受信装置１０とデータの送受信を制御するものである。例えば、通信部３８は、放送受信装置１０との通信に用いる通信方式に従い、通信ネットワークおよび放送受信装置１０との通信接続を確立したり、放送受信装置１０に対するデータ送信を制御したり、放送受信装置１０からのデータ受信を制御したりする。
【００４８】
［設定部３２，情報保存部３４］
設定部３２は、リンク先の放送受信装置を設定する。例えば、設定部３２は、通信ネットワーク上に存在する、当該通信端末３０とのリンクが可能な各装置から、その装置に関する情報（ＩＤ・機種名など）を取得する。そして、設定部３２は、各装置に関する情報（ＩＤ・機種名など）を、表示部３７に表示させ、いずれの装置をリンク先とするかをユーザに選択させる。そして、ユーザによって何れかの装置が選択された場合、その装置をリンク先として特定するためのリンク先特定情報を、情報保存部３４に保存する。これにより、通信端末３０は、上記リンク先特定情報を参照することによってリンク先を特定することが可能となる。本実施形態では、放送受信装置１０をリンク先としているが、当然、通信端末３０は、他の装置をリンク先とすることも可能であり、複数の装置をリンク先とすることも可能である。また、通信端末３０は、リンク先を解除したり、変更したりすることも可能である。
【００４９】
情報保存部３４としては、公知の記録媒体を採用することができ、例えば、ＲＡＭ、ＲＯＭ、ＥＥＰＲＯＭ（登録商標）、フラッシュメモリ等が挙げられる。
【００５０】
［アドレス送信要求部３３］
アドレス送信要求部３３は、リンク先の放送受信装置１０と通信が可能となった時点（例えば、放送受信装置１０と通信端末３０との通信接続が確立した時点、通信端末３０において上記アドレスを受信するためのアプリケーションが起動された時点、等）で、アドレスの送信要求を、自動的に放送受信装置１０へ送信する。もし、放送受信装置１０において、アドレスが保存されている場合、このアドレスが直ちに再送信されてくる。これにより、通信端末３０は、一度受信の機会を逃したアドレスを、放送受信装置１０と通信端末３０との通信接続が確立した時点で、直ちに受信することができる。
【００５１】
［アクセス部３１、Ｗｅｂブラウザ３６、表示部３７］
アクセス部３１は、通信部３８によって受信されたアドレスへのアクセスを実現するものである。より詳細には、アクセス部３１は、Ｗｅｂブラウザ３６を起動させることで、通信部３８によって受信されたアドレスにアクセスする。当該アクセスにより、表示部３７には、当該アクセス先のホームページの画像が表示されることとなる。
【００５２】
また、放送受信装置１０の情報が情報保存部３４に保存されることによって、放送受信装置１０と通信端末３０とがリンクされている場合（対応付けられている場合）、アクセス部３１は、放送受信装置１０以外の放送受信装置からのアドレスを受信しても、当該アドレスにアクセスしない。つまり、アクセス部３１は、情報保存部３４に保存されているリンク先の情報に基づき、受信したアドレスがリンク先の装置から送信されたものであるか否かを識別する。そして、受信したアドレスがリンク先の装置から送信されたものである場合、アクセス部３１は当該アドレスにアクセスする。よって、通信端末３０において、リンク先以外の装置から受信したアドレスへのアクセスを防止することができる。なお、受信したアドレスが放送受信装置１０によって送信されたものであるか否かを識別する方法は、既知の方法を用いることができる。
【００５３】
また、放送受信装置１０との通信が可能となる領域内に、通信端末が複数存在する場合であっても、放送受信装置１０と対応付けられている通信端末３０だけを、当該アドレスにアクセスさせることができる。
【００５４】
アクセス部３１が受信したアドレスにアクセスしているときに、通信端末３０において、ポーズを選択して、当該アクセスを継続させてもよい。通信端末３０において、ポーズの選択中に放送受信装置１０から別のアドレスを受信した場合、自動的に当該アドレスにアクセスすることを防止できる。
【００５５】
通信端末３０において、ポーズの選択中に放送受信装置１０から受信したアドレスは、アドレス記録部３５に保存されるように設定してもよく、アドレス記録部３５に保存されることなく破棄されるように設定してもよい。
【００５６】
また、アクセス部３１が受信したアドレスにアクセスしているときに、ポーズを解除し、別のアドレスがアドレス記録部３５に保存されている場合、アクセス部３１は自動的に当該別のアドレスにアクセスするようにしてもよい。
【００５７】
［アドレス記録部３５］
アドレス記録部３５は、通信部３８によって受信されたアドレスを記録する。例えば、通信端末３０は、一のアドレスへのアクセス中に、他のアドレスを受信した場合、当該他のアドレスを、アドレス記録部３５に記録する。これにより、通信端末３０は、一のアドレスへのアクセスを継続しつつ、後に、他のアドレスへアクセスすることができる。
【００５８】
ここで、アドレス記録部３５は、リンク先の装置から送信されたアドレスを記録するだけでなく、リンク先以外の装置から送信されたアドレスを記録するようにしてもよい。
【００５９】
アドレス記録部３５としては、公知の記録媒体を採用することができ、例えば、ＲＡＭ、ＲＯＭ、ＥＥＰＲＯＭ（登録商標）、フラッシュメモリ等が挙げられる。
【００６０】
〔情報提供システム１００による処理の手順〕
次に、図２および図３を参照して、情報提供システム１００による処理の手順について説明する。
【００６１】
＜初回の通信接続時＞
［リンク設定］
図２は、本発明の一実施形態に係る情報提供システム１００による初回の通信接続時における処理の手順を示すシーケンス図である。ここでいう「初回の通信接続」とは、放送受信装置１０と通信端末３０とがリンクされていない状態における通信接続を意味する。
【００６２】
まず、通信端末３０において、ローカルネットに接続し（ステップＳ１０１）、そして、所定の受信アプリケーションを起動する（ステップＳ１０２）。ここでいう「所定の受信アプリケーション」とは、放送受信装置１０から送信されてきたアドレスを受信するためのものである。なお、受信アプリケーションが既に起動されている場合には、当該起動処理を省略することができる。
【００６３】
次に、通信端末３０において、ローカルネット上に存在する放送受信装置１０をサーチする（ステップＳ１０３）。具体的には、通信端末３０は、ローカルネット上に存在する放送受信装置１０に対し、当該装置の情報（ＩＤ・機種名など）を送信するように要求する。
【００６４】
この要求を受信した放送受信装置１０は、情報保存部１６に保存されている当該放送受信装置１０の情報を読み出し、通信部１９を介して通信端末３０に送信する（ステップＳ１０４）。
【００６５】
通信端末３０において、この放送受信装置１０の情報を受信すると（ステップＳ１０５）、当該情報を情報保存部３４に保存する。これにより、放送受信装置１０をリンク（放送受信装置１０と通信端末３０とを対応付け）させることができる（ステップＳ１０６）。
【００６６】
［ＵＲＬ起動通知１送信］
その後、放送受信装置１０において、ＵＲＬ起動通知スクリプトが実行されると（ステップＳ１０７）、ＵＲＬ起動通知１が通信端末３０に送信される（ステップＳ１０８）。併せて、放送受信装置１０は、ＵＲＬ起動通知１をアドレス保存部１３に保存する（ステップＳ１１０）。
【００６７】
通信端末３０において、上記ＵＲＬ起動通知１を受信すると（ステップＳ１０９）、当該ＵＲＬ起動通知１が、リンクされた放送受信装置１０によって送信されたものであるか否かを識別する（ステップＳ１１１）。ＵＲＬ起動通知１が、リンクされた放送受信装置１０によって送信されたものであれば、通信端末３０は、Ｗｅｂブラウザ３６を起動し（ステップＳ１１２）、ＵＲＬ起動通知１に示されているアドレスにアクセスする。
【００６８】
［ＵＲＬ起動通知２送信］
その後、通信端末３０において、上記アドレスへアクセスした状態を維持する設定（以下、「ポーズ」）が選択された後（ステップＳ１１３）、放送受信装置１０において、ＵＲＬ起動通知スクリプトが実行され（ステップＳ１１４）、他のＵＲＬ起動通知２が送信および保存されたとする（ステップＳ１１５，ステップＳ１１８）。
【００６９】
この場合、通信端末３０において、上記ＵＲＬ起動通知２を受信しても（ステップＳ１１６）、当該ＵＲＬ起動通知２に示されているアドレスへはアクセスせず、当該ＵＲＬ起動通知２を保存する（ステップＳ１１７）。
【００７０】
［ＵＲＬ起動通知３送信］
その後、放送受信装置１０において、視聴されている番組が変更され（ステップＳ１１９）、ＵＲＬ起動通知スクリプトが実行され（ステップＳ１２０）、他のＵＲＬ起動通知３が送信および保存されたとする（ステップＳ１２０，ステップＳ１２１）。このとき、これにより、ＵＲＬ起動通知１および２は、アドレス保存部１３から破棄されるため、通信端末３０に送信されることはなくなる。
【００７１】
そして、通信端末３０において、上記ＵＲＬ起動通知３を受信しても（ステップＳ１２２）、当該ＵＲＬ起動通知３に示されているアドレスへはアクセスせず、当該ＵＲＬ起動通知３を保存する（ステップＳ１２３）。
【００７２】
この時点で、通信端末３０は、ＵＲＬ起動通知１に示されたアドレスにアクセスした状態が維持されている。但し、通信端末３０においては、ＵＲＬ起動通知２およびＵＲＬ起動通知３が保存されているため、ＵＲＬ起動通知２に示されているアドレス、および、ＵＲＬ起動通知３に示されているアドレスのいずれにも、アクセスすることが可能である。
【００７３】
＜二回目以降の通信接続時＞
図３は、本発明の一実施形態に係る情報提供システム１００による二回目以降の通信接続時における処理の手順を示すシーケンス図である。ここでいう「二回目以降の通信接続」とは、放送受信装置１０と通信端末３０とがリンクされている状態における通信接続を意味する。
【００７４】
［ＵＲＬ起動通知４送信］
まず、通信端末３０がローカルネットに接続されていない状態において、放送受信装置１０において、ＵＲＬ起動通知スクリプトが実行され（ステップＳ２０１）、他のＵＲＬ起動通知４が送信および保存されたとする（ステップＳ２０２，ステップＳ２０３）。この場合、当然、通信端末３０はＵＲＬ起動通知４を受信することができない。
【００７５】
その後、通信端末３０がローカルネットに接続されると（ステップＳ２０４）、通信端末３０は、放送受信装置１０をローカルネット上から検索し、放送受信装置１０との通信接続を確立する。さらに、通信端末３０は、所定の受信アプリケーションを自動的に起動した後（ステップＳ２０５）、ＵＲＬ起動通知要求を放送受信装置１０に送信する（ステップＳ２０６）。
【００７６】
［ＵＲＬ起動通知４再送信］
放送受信装置１０は、このＵＲＬ起動通知要求を受信すると（ステップＳ２０７）、アドレス保存部１３に保存されているＵＲＬ起動通知４を抽出し（ステップＳ２０８）、当該ＵＲＬ起動通知４を通信端末３０に送信する（ステップＳ２０９）。
【００７７】
通信端末３０において、上記ＵＲＬ起動通知４を受信すると（ステップＳ２１０）、当該ＵＲＬ起動通知４が、リンクされた放送受信装置１０によって送信されたものであるか否かを識別する（ステップＳ２１１）。そして、ＵＲＬ起動通知４が、リンクされた放送受信装置１０によって送信されたものであれば、通信端末３０は、Ｗｅｂブラウザ３６を起動し（ステップＳ２１２）、ＵＲＬ起動通知４に示されているアドレスにアクセスする。
【００７８】
［ＵＲＬ起動通知５送信］
その後、通信端末３０において、上記アドレスへアクセスのポーズが解除された後（ステップＳ２１３）、放送受信装置１０において、視聴されている番組が変更され（ステップＳ２１４）、ＵＲＬ起動通知スクリプトが実行され（ステップＳ２１５）、他のＵＲＬ起動通知５が送信および保存されたとする（ステップＳ２１６，ステップＳ２２０）。
【００７９】
この場合、通信端末３０において、上記ＵＲＬ起動通知５を受信すると（ステップＳ２１７）、当該ＵＲＬ起動通知５が、リンクされた放送受信装置１０によって送信されたものであるか否かを識別する（ステップＳ２１８）。そして、ＵＲＬ起動通知５が、リンクされた放送受信装置１０によって送信されたものであれば、通信端末３０は、Ｗｅｂブラウザ３６を起動またはアドレス変更し（ステップＳ２１９）、ＵＲＬ起動通知５に示されているアドレスにアクセスする。すなわち、通信端末３０は、上記ポーズが解除されているため、ＵＲＬ起動通知４に示されているアドレスから、ＵＲＬ起動通知５に示されているアドレスへ、自動的にアクセス先を変更する。
【００８０】
（情報提供システム１００による送信処理の具体例）
以下に、情報提供システム１００による送信処理の具体例ついて図４を用いて説明する。図４は本発明の一実施形態に係る情報提供システム１００による送信処理の具体例を示す。
【００８１】
図４は、以下に説明する４つのＵＲＬ起動通知の送信パターンを模式的に示すものである。図４において、放送受信装置４０は、放送受信装置１０と同様の構成を有するものであり、通信端末５０は、通信端末３０と同様の構成を有するものである。
【００８２】
また、図４では、放送受信装置から送信されたＵＲＬ起動通知を通信端末が受信した際に、通信端末が当該ＵＲＬ起動通知に基づくＵＲＬにアクセスする場合は「○」で示し、アクセスしない場合は「×」で示す。なお、放送受信装置１０は、通信端末５０とは対応付けられておらず、また、放送受信装置４０は、通信端末３０および通信端末５０のいずれとも対応付けられていないとする。
【００８３】
（１）放送受信装置１０から通信端末３０にＵＲＬ起動通知が送信された場合、通信端末３０における通信部３８は当該ＵＲＬ起動通知を受信する。通信端末３０は、図２のステップＳ１０３からＳ１０６に示す手順により、放送受信装置１０と通信端末３０とは対応付けられている。このため、通信端末３０のアクセス部３１は当該ＵＲＬ起動通知に基づくＵＲＬにアクセスする。
【００８４】
（２）放送受信装置４０から通信端末３０にＵＲＬ起動通知が送信された場合、通信端末３０における通信部３８は放送受信装置４０から送信されたＵＲＬ起動通知を受信する。しかし、通信端末３０は、放送受信装置４０とは対応付けられていない。このため、通信端末３０のアクセス部３１は当該ＵＲＬ起動通知に基づくＵＲＬにアクセスしない。
【００８５】
（３）放送受信装置１０から通信端末５０にＵＲＬ起動通知が送信された場合、通信端末５０における通信部３８は放送受信装置１０から送信されたＵＲＬ起動通知を受信する。しかし、放送受信装置１０は、通信端末５０とは対応付けられていない。そのため、通信端末５０のアクセス部３１は当該ＵＲＬ起動通知に基づくＵＲＬにアクセスしない。
【００８６】
（４）放送受信装置４０から通信端末５０にＵＲＬ起動通知が送信された場合、通信端末５０における通信部３８は放送受信装置４０から送信されたＵＲＬ起動通知を受信する。しかし、放送受信装置４０は、通信端末５０とは対応付けられていない。そのため、通信端末５０のアクセス部３１は当該ＵＲＬ起動通知に基づくＵＲＬにアクセスしない。
【００８７】
このように、本実施形態の情報提供システム１００では、放送受信装置から不特定多数の通信端末向けにＵＲＬ起動通知が送信されたとしても、各通信端末は、事前にリンクされた放送受信装置からのＵＲＬ起動通知を受信した場合に限り、そのＵＲＬ起動通知に示されているＵＲＬへアクセスする。これにより、多数の通信端末が同一のＵＲＬへアクセスすることを防止することができる。但し、ユーザが所望するのであれば、各通信端末の設定により、多数の通信端末を同一のＵＲＬへアクセスさせることも可能である。
【００８８】
また、本実施形態の情報提供システム１００によれば、ユーザが意図していない（通信端末に対応付けられていない）放送受信装置４０からアドレスが配信された場合、ユーザの保有する通信端末３０が当該アドレスにアクセスしてしまうといった事態を回避することができる。
【００８９】
〔プログラム〕
放送受信装置１０の各機能、集積回路（ＩＣチップ）上に形成された論理回路によってハードウェア的に実現してもよいし、ＣＰＵ（Central Processing Unit）を用いてソフトウェア的に実現してもよい。
【００９０】
後者の場合、放送受信装置１０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである放送受信装置１０の制御プログラムのプログラムコード（実行形式プログラム、中間コードプログラム、ソースプログラム）をコンピュータで読み取り可能に記録した記録媒体を、放送受信装置１０に供給し、そのコンピュータ（またはＣＰＵやＭＰＵ）が記録媒体に記録されているプログラムコードを読み出し実行することによっても、達成可能である。
【００９１】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【００９２】
また、放送受信装置１０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９３】
以下、本発明の一実施形態の変形例について説明する。
【００９４】
（アドレス保存部１３およびアドレス送信部１４の変形例について）
アドレス送信部１４は、通信端末３０からの送信要求を受信したとしても、その時点で保存されているアドレスの保存期間が、予め定められた期間を経過している場合、当該アドレスを通信端末３０に再送信しなくともよい。これにより、視聴されている放送番組と関連しない、または関連性の薄いアドレスを通信端末３０に再送信することを防止できる。
【００９５】
アドレスの保存期間は、例えば、ユーザまたはアドレスの提供元によって適宜定められる。そのため、アドレスの提供段階において、アドレスの保存期間が設定されてもよく、放送受信装置１０がアドレスを受信した段階で、アドレスの保存期間が設定されてもよい。
【００９６】
なお、より簡単かつ確実に、保存期間終了後のアドレスが通信端末に送信されないようにするためには、アドレス保存部１３が、保存期間終了時点で、保存期間終了後のアドレスを破棄するとよい。
【００９７】
（アドレス保存部１３の変形例について）
アドレス保存部１３は、複数のアドレスを保存することが可能であってもよい。この場合、アドレス送信部１４は、通信端末３０からの送信要求を受信した時点で、アドレス保存部１３に保存されている１つのアドレス（例えば、最新のアドレス）を通信端末３０へ送信してもよく、アドレス保存部に保存されている複数のアドレスの各々を通信端末３０へ送信してもよい。例えば、アドレス保存部１３は、同一の番組放送に関する複数のアドレスを、通信端末３０へ送信してもよい。
【００９８】
［複数のアドレスを保管した場合の送信処理の一例］
以下、放送受信装置１０において、複数のアドレスをアドレス保存部１３が保存するように構成した場合の、アドレス送信処理の具体例について説明する。本例では、チューナ１１により、番組放送の放送スケジュールおよびアドレスの配信スケジュールを、以下（１）〜（５）とする。
【００９９】
（１）番組放送１（９：００〜１０：００）
（２）番組放送１に関するアドレス１−１配信（９：１５）
（３）番組放送１に関するアドレス１−２配信（９：３０）
（４）番組放送２（１０：００〜１１：００）
（５）番組放送２に関するアドレス２配信（１０：３０）
なお、アドレスに対応する放送番組が終了した場合には、アドレス保存部１３は当該アドレスを破棄するものとする。
【０１００】
例えば、アドレス保存部１３は、９：１５に、アドレス１−１を保存し、９：３０に、アドレス１−２を保存する。そして、１０：００に番組放送１が終了すると、アドレス保存部１３は、アドレス１−１およびアドレス１−２を破棄する。その後、アドレス保存部１３は、１０：３０に、アドレス２を保存する。
【０１０１】
ここで、例えば、９：４５に、通信端末３０から送信要求を受信した場合、アドレス送信部１４は、アドレス１−１および１−２をアドレス保存部１３から読み出し、通信端末３０に再送信する。これにより、通信端末３０は、番組放送１に関する２つのコンテンツに、順次アクセスすることができる。
【０１０２】
また、例えば、１０：４５に、通信端末３０から送信要求を受信した場合、アドレス送信部１４は、アドレス２をアドレス保存部１３から読み出し、通信端末３０に再送信する。これにより、通信端末３０は、番組放送２に関するコンテンツに、アクセスすることができる。
【０１０３】
以上により、通信端末３０は、放送番組１の視聴中には、当該放送番組１に関するコンテンツにアクセスし、放送番組２の視聴中には、当該放送番組２に関するコンテンツにアクセスすることとなる。すなわち、通信端末３０に対し、好適な内容の情報が、好適なタイミングで提供されることとなる。
【０１０４】
（アドレス送信部１４の変形例について）
アドレス送信部１４は、アドレスとともに、当該アドレスにアクセスするために起動するアプリケーションの識別情報を、通信端末３０へ送信してもよい。例えば、アドレスにアクセスするために起動するアプリケーションとして特定のＷｅｂブラウザが好ましい場合には、アドレス送信部１４は、アドレスとともに、そのＷｅｂブラウザのＩＤ等を送信すればよい。これにより、アドレスを受信する通信端末３０において、アドレスにアクセスするために起動すべきアプリケーションが明確になり、アドレスへのアクセスを好適に行うことができる。
【０１０５】
なお、通信端末３０において、アドレス送信部１４が送信する当該識別情報に対応するアプリケーションがインストールされていない場合、アクセス部３１は当該識別情報を無視し、インストールされている他のアプリケーションを起動させてアドレスにアクセスすればよい。または、アドレスへのアクセスを行わないようにしてもよい。
【０１０６】
（アクセス部３１の変形例について）
アクセス部３１は、通信部３８によって受信されたアドレスに自動的にアクセスするものに限定されず、ユーザがアドレスにアクセスするか否かを決定する構成、または、自動的なアクセスとユーザ操作によるアクセスとが切り替え可能な構成であってもよい。これにより、通信端末３０がアドレスを受信する毎に、当該アドレスにアクセスするか否かを決定することができる。
【０１０７】
（情報提供システム１００における通信距離について）
情報提供システム１００において、放送受信装置１０は、通信端末３０からの送信要求を受信したとしても、通信端末３０が所定の領域外または所定の距離範囲外に存在する場合は、アドレスを送信しないようにしてもよい。または、通信端末３０は、放送受信装置１０との通信が可能であっても、当該通信端末３０が所定の領域外または所定の距離範囲外に存在する場合は、放送受信装置１０へ送信要求を送信しない、または、放送受信装置１０から受信したアドレスにアクセスしないようにしてもよい。これにより、アドレスへのアクセスが好ましくない領域（例えば、放送受信装置１０が設置されている部屋とは別の部屋）において、通信端末３０がアドレスへアクセスしてしまうことを防止できる。
【０１０８】
本発明は上述した実施形態および変形例に限定されるものではなく、請求項に示した範囲で種々の変更が可能であり、実施形態および変形例にそれぞれ開示された技術的手段を適宜組み合わせて得られる実施形態についても本発明の技術的範囲に含まれる。
【符号の説明】
【０１０９】
１０、４０  放送受信装置
１１  チューナ（番組放送受信手段）
１２  抽出部
１３  アドレス保存部（アドレス保存手段）
１４  アドレス送信部（アドレス配信手段、アドレス再送信手段）
１５  情報送信部
１６  情報保存部
１７  映像処理部
１８  表示部
１９  通信部
３０、５０  通信端末
３１  アクセス部（アクセス手段）
３２  設定部
３３  アドレス送信要求部（アドレス送信要求手段）
３４  情報保存部
３５  アドレス記録部
３６  Ｗｅｂブラウザ
３７  表示部
３８  通信部（受信手段）
【図１】
2014045383.tif 000003
【図２】
2014045383.tif 000004
【図３】
2014045383.tif 000005
【図４】
2014045383.tif 000006